(57)【要約】【課題】  指を容器内に入れることなく蓋材を容易に且つ大きく開封することの可能な開封機能付キャップ及びそれを用いた包装体を提供する。【解決手段】  カップ容器２を閉じた蓋材３を覆うように取り付けるキャップ６を、飲み口として使用する筒状部１５を備えたキャップ本体１１と分離可能な突刺し具１２を備えた構造とし、突刺し具１２を押してその突刺し刃２９で蓋材３を開封した際に突刺し具１２がキャップ本体に設けているストッパーリブ１８に突き当たって容器内に入ることを防止し、更にその後、突刺し具１２をガイド溝２０を用いて水平に移動させることで突刺し刃２９で蓋材３を大きく切り開くことの可能な構成とする。【選択図】  図４
2006290415.tif 000002
【特許請求の範囲】
【請求項１】
容器開口部をフィルム状の蓋材で閉じた構成のカップ容器に前記容器開口部を覆うように取り付けて使用し、前記蓋材を開封する機能を備えたキャップであって、前記カップ容器に取り付けるためのキャップ本体と、前記蓋材を開封するための突刺し具とからなり、前記キャップ本体は、前記容器開口部を取り囲む容器口縁に装着する装着部と、その装着部に連設され、飲み口として使用される飲み口領域を有する筒状部と、該筒状部の飲み口領域の近傍で且つその飲み口領域をはさむ位置に、互いに向かい合うように形成された一対の支持部と、該一対の支持部の下端領域に、前記筒状部の中心軸線に略直角な面内に位置するように形成された一対のストッパーリブと、該一対のストッパーリブの上面に続く位置に前記飲み口領域から遠ざかる方向に延びるように形成された一対のガイド溝を備えており、前記突刺し具は、前記一対の支持部の間に配置されると共に少なくとも前記一対の支持部に、容易に破断可能な細いつなぎ部を介して連設されており、更に前記突刺し具は、指で押し下げるための押し部と、その押し部の両側縁に形成され、前記一対のストッパーリブに当接可能で且つ前記一対のガイド溝内を移動可能な一対のガイド部と、前記押し部の、前記飲み口領域に近接した側の端部に下向きに形成された突刺し刃を備えていることを特徴とする開封機能付キャップ。
【請求項２】
前記突刺し刃は、正面から見た形状が略Ｖ字状であることを特徴とする請求項１記載の開封機能付キャップ。
【請求項３】
前記一対のガイド溝と一対のガイド部の一方若しくは双方には、前記一対のガイド部を前記一対のガイド溝に挿入した状態に保持するための抜け止め機構が設けられていることを特徴とする請求項１又は２記載の開封機能付キャップ。
【請求項４】
前記一対のガイド溝の下側に、一対のガイド溝間を閉じる底壁が設けられていることを特徴とする請求項１から３のいずれか１項記載の開封機能付キャップ。
【請求項５】
前記突刺し具の、前記突刺し刃とは反対側の端部をそれに向かい合う筒状部内面に蛇腹若しくは薄肉部を介して連結していることを特徴とする請求項１から３のいずれか１項記載の開封機能付キャップ。
【請求項６】
液状内容物を充填し、容器開口部をフィルム状の蓋材で閉じた構成のカップ容器と、該カップ容器に前記容器開口部を覆うように取り付けられた請求項１から５のいずれか１項記載の開封機能付キャップを備えていることを特徴とする包装体。
【請求項７】
更に、前記開封機能付キャップの上に被せられた保護用のオーバーキャップを有することを特徴とする請求項６記載の包装体。
【発明の詳細な説明】
【技術分野】
【０００１】
本発明は、容器開口部をフィルム状の蓋材で閉じた構成のカップ容器に取り付け、開封を行うと共に飲み口を提供することの可能なキャップ及びそのキャップを用いた包装体に関する。
【背景技術】
【０００２】
従来、カップ容器内にコーヒー、紅茶、ウーロン茶、スープ、ジュース等を常温充填し、例えばアルミニウム箔／ポリエチレン複合フィルムからなる突刺し可能な蓋材で容器開口部を密封し、その上にオーバーキャップを被せ、容器本体の胴部にはストローが入った袋体を貼着してなる容器入り飲料が使用され、また、コンビニエンスストア等において販売されている。また、この容器入り飲料をコンビニエンスストア等に設置されたホットウォーマー内に陳列して６０℃前後に加温販売することも行われている。
【０００３】
上記のような飲料を購入した消費者は、オーバーキャップにストローの通り穴を形成し、その穴を通して蓋材にストローを突き刺し、ストローを使って飲料を飲む。或いはオーバーキャップを取り除き、蓋材にストローを突き刺し、ストローを使って飲む。しかし、６０℃前後に加温されたコーヒー、紅茶、ウーロン茶、スープ、ジュース等の飲料をストローを使って飲もうとすると、容器内の熱い飲料が途中で空気に触れて冷まされることなくストローを通して口内に吸い込まれ、場合によっては口の中を火傷することがある。
【０００４】
そこで、このような火傷の危険を回避するため、カップ容器の蓋材を覆うように、開封用突刺し具を備えたオーバーキャップを取り付けておき、飲料を飲む際には、突刺し具を容器内に向かって押し込むことで蓋材を突刺し具で突き刺して開封し、オーバーキャップの周壁の上端を飲み口縁部として飲むことの可能な構成のオーバーキャップが提案されている（特許文献１参照）。このオーバーキャップを用いると、単に突刺し具を押し込むことで簡単に蓋材を開封することができ、また、そのオーバーキャップを飲み口として内容物を飲むことで火傷の危険を避けることができる利点が得られる。
【特許文献１】特開２００４−３１４９９７号公報
【０００５】
しかしながら、特許文献１に記載のオーバーキャップにも改良すべき点のあることが判明した。すなわち、蓋材の開封に当たって突刺し具を押し込んだ際に、突刺し具を押している指が蓋材の位置を越えて容器内に入ることがあり、その際、蓋材の裏面に付着していた内容物が指に付着して指を汚すことがあった。
【発明の開示】
【発明が解決しようとする課題】
【０００６】
本発明はかかる問題点に鑑みてなされたもので、指を容器内に入れることなく蓋材を容易に開封することの可能な開封機能付キャップ及びそれを用いた包装体を提供することを課題とする。
【課題を解決するための手段】
【０００７】
上記課題を解決すべくなされた請求項１に係る発明は、容器開口部をフィルム状の蓋材で閉じた構成のカップ容器に前記容器開口部を覆うように取り付けて使用し、前記蓋材を開封する機能を備えたキャップであって、前記カップ容器に取り付けるためのキャップ本体と、前記蓋材を開封するための突刺し具とからなり、前記キャップ本体は、前記容器開口部を取り囲む容器口縁に装着する装着部と、その装着部に連設され、飲み口として使用される飲み口領域を有する筒状部と、該筒状部の飲み口領域の近傍で且つその飲み口領域をはさむ位置に、互いに向かい合うように形成された一対の支持部と、該一対の支持部の下端領域に、前記筒状部の中心軸線に略直角な面内に位置するように形成された一対のストッパーリブと、該一対のストッパーリブの上面に続く位置に前記飲み口領域から遠ざかる方向に延びるように形成された一対のガイド溝を備えており、前記突刺し具は、前記一対の支持部の間に配置されると共に少なくとも前記一対の支持部に、容易に破断可能な細いつなぎ部を介して連設されており、更に前記突刺し具は、指で押し下げるための押し部と、その押し部の両側縁に形成され、前記一対のストッパーリブに当接可能で且つ前記一対のガイド溝内を移動可能な一対のガイド部と、前記押し部の、前記飲み口領域に近接した側の端部に下向きに形成された突刺し刃を備えていることを特徴とする開封機能付キャップを要旨とする。
【０００８】
請求項２に係る発明は、上記した請求項１に係る発明において、前記突刺し刃を、正面から見た形状が略Ｖ字状としたものである。
【０００９】
請求項３に係る発明は、上記した請求項１又は２に係る発明において、前記一対のガイド溝と一対のガイド部の一方若しくは双方に、前記一対のガイド部を前記一対のガイド溝に挿入した状態に保持するための抜け止め機構を設けるという構成としたものである。
【００１０】
請求項４に係る発明は、上記した請求項１から３のいずれか１項に係る発明ににおいて、前記一対のガイド溝の下側に、一対のガイド溝間を閉じる底壁を設けるという構成としたものである。
【００１１】
請求項５に係る発明は、上記した請求項１から３のいずれか１項に係る発明ににおいて、前記突刺し具の、前記突刺し刃とは反対側の端部をそれに向かい合う筒状部内面に蛇腹若しくは薄肉部を介して連結するという構成としたものである。
【００１２】
請求項６に係る発明は、液状内容物を充填し、容器開口部をフィルム状の蓋材で閉じた構成のカップ容器と、該カップ容器に前記容器開口部を覆うように取り付けられた請求項１から５のいずれか１項記載の開封機能付キャップを備えた包装体を要旨とする。
【００１３】
請求項７に係る発明は、上記した請求項６に係る発明において、更に、前記開封機能付キャップの上に被せられた保護用のオーバーキャップを有する構成としたものである。
【発明の効果】
【００１４】
本発明の開封機能付キャップを用いた包装体では、カップ容器の容器開口部を閉じている蓋材を開封するに当たって、突刺し具の押し部を指で押すと、突刺し具をキャップ本体に連結しているつなぎ部が破断して突刺し具が自由となり、突刺し具の両側縁のガイド部の後端が一対のストッパーリブに突き当たるとそこを支点として突刺し具が旋回して先端の突刺し刃が下降して蓋材に突き破る。そして、ガイド部全体がストッパーリブに突き当たるまで押し込んだ後、突刺し具を後方にスライドさせることで、突刺し刃が蓋材に突き刺さった状態で後方に移動し、これによって蓋材を大きく開封することができる。また、突刺し具を押し込んだ際には、突刺し具がストッパーリブで下降を阻止されるため、指がカップ容器内に入り込むということがなく、指が蓋材裏面の内容物で汚れるといったことが生じない。かくして、本発明の開封機能付キャップを用いることで、指を汚すことなく、且つ簡単な操作で蓋材を大きく開口させることができ、大きい固形物を含んだ内容物でも容易に飲食することが可能となる。
【発明を実施するための最良の形態】
【００１５】
図１は本発明の実施の形態に係る開封機能付キャップを備えた包装体の概略断面図、図２はその包装体を分解して示す概略断面図である。全体を参照符号１で示す包装体は、コーヒー、紅茶、ウーロン茶、スープ、ジュース等の液状内容物２を充填し、容器開口部をフィルム状の蓋材３で密封した構成のカップ容器４と、そのカップ容器４に容器開口部を覆うように取り付けられた開封機能付キャップ（以下キャップと略称する）６と、そのキャップ６の上に被せられた保護用のオーバーキャップ８を備えている。
【００１６】
カップ容器４は、上端に容器開口部を備え、その容器開口部を蓋材３で密閉することができるカップ状のものであり、例えば、紙容器、プラスチック製容器、紙／合成樹脂／金属箔複合材料または紙／合成樹脂複合材料からなる容器、または金属製容器等を例示できる。蓋材３は、キャップ６に形成している突刺し刃（詳細は後述する）で突き刺して開封可能なフィルム状のもので形成されている。蓋材３の材料としては、突刺し具で開封した時に蓋材の破片が形成されて内容物に混入し、内容物と共に飲み込まれてしまうことがないように、突刺し刃により破断した部分以外に亀裂の入りにくい材料、例えば、未延伸ナイロン／ポリエチレン、ポリプロピレン、ポリエチレンテレフタレート等の積層フィルム、未延伸ナイロン／エチレンビニルアルコール共重合体や塩化ビニリデン等のバリアー層／未延伸のポリエチレン、ポリプロピレン、ポリエチレンテレフタレート等の積層フィルム、未延伸ナイロン／アルミニウム等の金属蒸着層／未延伸のポリエチレン、ポリプロピレン、ポリエチレンテレフタレート等の積層フィルム、アルミニウム等の金属箔／未延伸のポリエチレン、ポリプロピレン、ポリエチレンテレフタレート等の積層フィルム等を利用するのが望ましい。
【００１７】
キャップ６は、ポリエチレン、ポリプロピレン、ナイロン等の樹脂の成形によって一体に作られたものであり、キャップ本体１１と、そのキャップ本体１１と一体に成形されるが、蓋材３の開封に当たってキャップ本体１１から容易に分離可能な突刺し具１２とからなる。以下、図３〜図８を参照してキャップ６を詳細に説明する。図３はその包装体を、オーバーキャップを外した状態で示す概略平面図、図４はその包装体の一部を示す概略断面図、図５は図３に示す包装体１を、キャップ本体から突刺し具を取り外した状態で示す概略平面図、図６は図４に示す包装体１を、キャップ本体から突刺し具を取り外した状態で示す概略断面図、図７は図５のＡ−Ａ矢視概略断面図、図８（ａ）、（ｂ）、（ｃ）はそれぞれ、突刺し具の概略平面図、概略正面図、概略側面図である。キャップ本体１１は、カップ容器４の容器開口部を取り囲む容器口縁のフランジ４ａに装着するための装着部１４と、その装着部１４に連設され、円周上の一部領域を飲み口として使用するための筒状部１５を備えている。装着部１４による容器口縁への装着構造は特に限定するものではないが、この実施の形態では、フランジ４ａの外周面に嵌合取り付けするためのアンダーカットを備えた構造としており、この構造により簡単に液密的に嵌合取り付けすることができる。
【００１８】
筒状部１５は前記したように円周上の一部領域を飲み口として使用するものであり、図３、図５に符号１５ａで示す領域が飲み口として使用される領域である。本明細書では、符号１５ａで示す領域を飲み口領域という。飲み口領域１５ａの幅は、飲み口として使用するのに適した幅となるように選定すればよく、目安としては、筒状体１５の内径の１／３〜２／３程度に選定すればよい。キャップ本体１１は更に、筒状部１５の飲み口領域１５ａに近い領域で且つ飲み口領域１５ａをはさむ位置で、筒状部１５の内面から突出するように且つ互いに向かい合うように形成された一対の支持部１７、１７と、その一対の支持部１７、１７の下端領域に、筒状部１５の下端に位置するように且つ筒状部１５の中心軸線に略直角な（例えば直角±１０度程度の範囲内の）面内に位置するように形成された一対のストッパーリブ１８、１８と、その一対のストッパーリブ１８、１８の上面に続く位置に、前記飲み口領域１５ａから遠ざかる方向に延びるように形成された一対のガイド溝２０、２０を備えている。一対のガイド溝２０、２０は、図７から良く分かるように、一対のガイド溝２０、２０間を閉じるように形成されている底壁２１と、その底壁２１の上方に間隔を開けて平行に設けられた上側ガイドリブ２２、２２によって形成されている。なお、一対のガイド溝２０、２０の間は、底壁２１で閉じなくてもよく、図１２、図１３に示すように、一対のガイド溝２０、２０を、上下に配置した下側ガイドリブ２１ａ、２１ａと上側ガイドリブ２２、２２で形成する構成としてもよい。なお、図７に示す実施の形態のように、一対のガイド溝２０、２０間を底壁２１で閉じておくと、使用樹脂量は増えるが見栄えが良いという利点が得られる。
【００１９】
図３〜図８において、突刺し具１２は、一対の支持部１７、１７の間で且つ飲み口領域１５ａに近い領域に配置されると共に一対の支持部１７、１７に、容易に破断可能な細いつなぎ部２５を介して連設されている。この突刺し具１２は、指で押し下げるための押し部２７と、その押し部２７の両側縁に形成された一対のガイド部２８、２８と、押し部２７の、飲み口領域１５ａに近接した側の端部すなわち先端に下向きに形成された突刺し刃２９等を備えている。なお、本明細書において突刺し具１２について「前後」を言及する場合、飲み口領域１５ａに近い側を「前」とする。押し部２７の上面には、突刺し具１２を指で押したりスライドさせたりする際に指が滑らないようにするための凹み２７ａが形成されている。ガイド部２８、２８は、キャップ本体１１に設けている一対のストッパーリブ１８、１８に当接可能で且つ一対のガイド溝２０、２０内を移動可能な平板状のものであり、図１０に示すように、突刺し具１２のガイド部２８をキャップ本体１１のストッパーリブ１８に押し付けた状態とすると、突刺し刃２９がカップ容器の蓋材３を突き破ることができる位置に形成されている。なお、ガイド部２８は平板状のものに限らず、複数のピン状の突起を互いに平行に且つ水平に並べて形成した構造としてもよい。
【００２０】
キャップ本体１１のガイド溝２０と突刺し具１２のガイド部２８には、ガイド部２８をガイド溝２０に挿入した状態に保持するための抜け止め機構が設けられている。この実施の形態に用いている抜け止め機構は、ガイド溝２０の上側ガイドリブ２２の下面に形成された突起３１とガイド部２８の上面に形成された突起３２を備えており、ガイド部２８の突起３２が上側ガイドリブ２２の突起３１を通り過ぎてその奥に入り込むことで突起３１と突起３２の係合によって抜け止めが図られる。ガイド部２８の突起３２が上側ガイドリブ２２の突起３１を通り過ぎる際に、上側ガイドリブ２２が上方に変形しうるよう、上側ガイドリブ２２には突起３１をはさむ領域にスリット３３（図３参照）が形成されている。なお、抜け止め機構はこれに限らず、他の機構を用いても良く、例えば、ガイド溝２０の後端領域における溝幅を狭くして、ガイド溝２０内に挿入したガイド部２８がきつく押し込まれ、抜けにくくなる構成としてもよい。図１０において、キャップ本体１１のガイド溝２０に突刺し具１２のガイド部２８を容易に挿入しうるよう、上側ガイドリブ２２の先端下面には案内用の傾斜が形成されており、また、ガイド部２８の後端上面にも案内用の傾斜が形成されている。
【００２１】
図１〜図８において、突刺し具１２に形成している突刺し刃２９は、平面で見た形状が、カップ容器４の容器開口部の周縁に近接して沿うように円弧状であり、正面から見た形状が図８（ａ）から良く分かるように略Ｖ字状である。このように突刺し刃２９を略Ｖ字状としたことで、蓋材３を突き刺す際にＶ字状の先端に力を集中させ、蓋材３を容易に突き刺すことができる。また、平面を円弧状としたことで、蓋材３を容器開口部の周縁に沿って大きく開封することができる。突刺し具１２には、更に、突刺し刃２９の両端位置に補助刃３５が設けられている。この補助刃３５は、突刺し具１２を飲み口領域１５ａから離れる方向にスライドさせた際に蓋材３の切り裂きを容易にするためのものである。なお、補助刃３５が無くても、蓋材３を容易に切り裂くことができる場合には補助刃３５は省略してもよい。
【００２２】
図１、図２において、オーバーキャップ８はキャップ６を保護するためのものであり、ポリエチレン、ポリプロピレン、ナイロン等の樹脂の成形によって作られている。
【００２３】
次に、上記構成のキャップ６及びそれを用いた包装体１の使用方法を説明する。図１、図２において、カップ容器４内には液状内容物（液体のみならず固形分を含むものでもよい）が充填され、上端の容器開口部は蓋材３で密封され、その上にキャップ６が、装着部１４をカップ容器４のフランジ４ａに嵌合させることで装着され、更にその上にオーバーキャップ８が被せられている。包装体１はこの状態で流通される。
【００２４】
この包装体１の開封に当たっては、まず、オーバーキャップ８を取り外し、図９（ａ）に示すようにキャップ６の上面を露出させ、次いで、図９（ｂ）に示すように突刺し具１２の押し部２７を指で押す。これにより、突刺し具１２をキャップ本体１１に連結していた細いつなぎ部２５が破断されて突刺し具１２は押し下げられ、ガイド部２８の後端がまずストッパーリブ１８に突き当たり、次いでその位置を支点として突刺し具１２が下方に旋回する。これによって、図９（ｃ）に示すように、突刺し具１２の突刺し刃２９がカップ容器４の容器開口部を閉じていた蓋材３を突き刺して開封する。この際、突刺し具１２が旋回してガイド部２８の全体がストッパーリブ１８に突き当たると、それ以上の旋回及び下降はストッパーリブ１８で阻止される。かくして、突刺し具１２を押している指が、蓋材３を越えてカップ容器４内に入り込むということはなく、例え蓋材３の裏面に液体が付着していたとしても、指にその液体が付いて指を汚すということはなく、衛生的である。
【００２５】
図９（ｃ）に示す位置まで突刺し具１２を押し込んだ後は、その突刺し具１２を後方に移動させ、ガイド部２８をガイド溝２０内に挿入し、更に後方に移動させてゆく。これにより、図１１に示すように、突刺し具１２の突刺し刃２８は蓋材３に差し込まれた状態で水平に移動し、蓋材３を切り裂いて行く。この移動の際、ガイド部２８がガイド溝２０で案内されるため、突刺し具１２が上方に浮き上がるということはなく、蓋材３を安定して切り裂いてゆくことができる。そして、突刺し具１２が図１１に示す位置まで移動すると、抜け止め機構により、その位置に保持される。かくして、蓋材３には大きい開口が形成され、内容物に大きい固形物があっても飲食可能となる。その後、形成された開口に隣接した筒状部１５の飲み口領域１５ａから内容物を飲食する。以上のように、この包装体１では、指を汚すことなく、蓋材３を容易に開封して大きい開口を形成でき、大きい固形物のある内容物でも、キャップ６の飲み口領域１５ａを飲み口として飲食することができる。
【００２６】
なお、以上の実施の形態では突刺し具１２をキャップ本体１１から切り離す構成としているが、本発明はこの構成に限らず、突刺し具１２を、蓋材開封のための移動に干渉しない形態でキャップ本体１１に連結した構成としてもよい。図１４、図１５はその場合の実施の形態に係る包装体１を示すものである。この実施の形態では、突刺し具１２の後端（突刺し刃２９とは反対側の端部）をそれに向かい合う筒状部１５の内面に蛇腹４０を介して連結している。なお、蛇腹４０に代えて、容易に変形しうる薄肉部を用いても良い。このような蛇腹４０や薄肉部を用いて突刺し具１２を突刺し具１５に連結しておくと、この部分が成形時の樹脂の通り道となり、成形が容易となる利点が得られる。
【００２７】
以上に本発明の好適な実施の形態を説明したが、本発明はこれらの実施の形態に限定されるものではなく、特許請求の範囲の記載の範囲内で適宜変更や修正を行うことが可能である。
【図面の簡単な説明】
【００２８】
【図１】本発明の実施の形態に係る開封機能付キャップを備えた包装体の概略断面図
【図２】図１に示す包装体を分解して示す概略断面図
【図３】図１に示す包装体を、オーバーキャップを外した状態で示す概略平面図
【図４】図１に示す包装体の一部を、オーバーキャップを外した状態で示す概略断面図
【図５】図３に示す包装体を、キャップ本体から突刺し具を取り外した状態で示す概略平面図
【図６】図４に示す包装体を、キャップ本体から突刺し具を取り外した状態で示す概略断面図
【図７】図５のＡ−Ａ矢視概略断面図
【図８】（ａ）、（ｂ）、（ｃ）はそれぞれ、突刺し具の概略平面図、概略正面図、概略側面図
【図９】（ａ）、（ｂ）、（ｃ）は、突刺し具による開封動作を説明するもので、突刺し具を側面で示し他の部分の断面で示す包装体の一部領域の概略断面図
【図１０】図９（ｃ）の一部を拡大して示す概略断面図
【図１１】包装体の一部領域を、蓋材を開封した状態で示す概略断面図
【図１２】本発明の他の実施の形態に係る包装体を、オーバーキャップを外した状態で示す概略平面図
【図１３】図１２のＢ−Ｂ矢視概略断面図
【図１４】本発明の更に他の実施の形態に係る包装体を、オーバーキャップを外した状態で示す概略平面図
【図１５】図１４に示す包装体の一部を示す概略断面図
【符号の説明】
【００２９】
１  包装体
２  内容物
３  蓋材
４  カップ容器
６  開封機能付キャップ
８  オーバーキャップ
１１  キャップ本体
１２  突刺し具
１４  装着部
１５  筒状部
１５ａ  飲み口領域
１７  支持部
１８  ストッパーリブ
２０  ガイド溝
２１  底壁
２１ａ  下側ガイドリブ
２２  上側ガイドリブ
２５  つなぎ部
２７  押し部
２８  ガイド部
２９  突刺し刃
３１、３２  突起
３５  補助刃
【図１】
2006290415.tif 000003
【図２】
2006290415.tif 000004
【図３】
2006290415.tif 000005
【図４】
2006290415.tif 000006
【図５】
2006290415.tif 000007
【図６】
2006290415.tif 000008
【図７】
2006290415.tif 000009
【図８】
2006290415.tif 000010
【図９】
2006290415.tif 000011
【図１０】
2006290415.tif 000012
【図１１】
2006290415.tif 000013
【図１２】
2006290415.tif 000014
【図１３】
2006290415.tif 000015
【図１４】
2006290415.tif 000016
【図１５】
2006290415.tif 000017